(57)【要約】【課題】放熱特性に優れた小型軽量の画像表示装置を提供する。【解決手段】蛍光面を有する前面基板2と、蛍光面に向けて電子を放出する電子放出素子およびその駆動回路を備え、前面基板に対向して設けられ、前面基板との間に真空外囲器4を形成する背面基板1と、背面基板を背面側から支持する矩形状のフレーム20と、背面基板およびフレームの周縁端面部を回り込むように設けられ、折り曲げた一方の端部が背面基板の電子放出素子の駆動回路に接続され、折り曲げた他方の端部がプリント配線板の回路に接続されたテープキャリアパッケージ24と、テープキャリアパッケージに搭載され、前記フレームの周縁端面部と熱交換可能に設けられたドライバＩＣ26とを備える。【選択図】    図１
2006093031.tif 000002
【特許請求の範囲】
【請求項１】
蛍光面を有する前面基板と、
前記蛍光面に向けて電子を放出する電子放出素子およびその駆動回路を備え、前記前面基板に対向して設けられ、前記前面基板との間に真空外囲器を形成する背面基板と、
前記背面基板を背面側から支持する矩形状のフレームと、
前記背面基板およびフレームの周縁端面部を回り込むように設けられ、折り曲げた一方の端部が前記背面基板の前記電子放出素子の駆動回路に接続され、折り曲げた他方の端部がプリント配線板の回路に接続されたテープキャリアパッケージと、
前記テープキャリアパッケージに搭載され、前記フレームの周縁端面部と熱交換可能に設けられたドライバＩＣと、
を具備することを特徴とする画像表示装置。
【請求項２】
前記ドライバＩＣは、前記テープキャリアパッケージを介して前記フレームの周縁端面部に間接的に接触していることを特徴とする請求項１記載の画像表示装置。
【請求項３】
前記フレームの周縁端面部は、前記背面基板の側に折り曲げられていることを特徴とする請求項１又は２のいずれか１項記載の画像表示装置。
【発明の詳細な説明】
【技術分野】
【０００１】
本発明は、電子放出素子を用いた平面型画像表示装置に関する。
【背景技術】
【０００２】
近時、次世代の画像表示装置として、特許文献１に記載されているように、多数の電子放出素子を並べて、蛍光面と対向配置させた平面型画像表示装置の開発が進められている。電子放出素子には様々な種類があるが、いずれも基本的には電界放出を用いており、これらの電子放出素子を用いた表示装置は、一般に、フィールド・エミッション・ディスプレイ（以下、ＦＥＤと称する）と呼ばれている。ＦＥＤのうち表面伝導型電子放出素子を用いた表示装置は、表面伝導型電子放出ディスプレイ（以下、ＳＥＤと称する）とも呼ばれているが、本明細書中においてはＳＥＤも包含する総称としてＦＥＤという用語を用いる。
【０００３】
ＦＥＤは低電圧動作ではあるが、駆動させる素子の数が膨大な数にのぼるため駆動回路にかかる負荷が大きくなり、ドライバＩＣが過熱しやすい。例えば、従来のＦＥＤでは、図５に示すように、ドライバＩＣ１０６を搭載したテープキャリアパッケージ１０４（ＴＣＰ）を用いて背面基板１の駆動回路をプリント配線板１０２の回路に接続しているが、過重な負荷によってドライバＩＣ１０６が動作不安定になる９０℃以上の温度域に過熱しやすい。このため銅板や鉄板からなる放熱部材１０８をドライバＩＣ１０６に外付けし、ドライバＩＣ１０６の過熱を防止している。
【特許文献１】特開平１０−３２６５８３号公報
【発明の開示】
【発明が解決しようとする課題】
【０００４】
しかし、従来の構造では放熱部材１０８をドライバＩＣ１０６の外側に追加して取り付けると、ＦＥＤが全体として大型化・重量物化する。このため、装置の小型化・軽量化の要求に応えることができない。
【０００５】
また、従来の構造ではＴＣＰ１０４の折り曲げ上端から下端までの長さＬ２が長くなるとともに、ＴＣＰ１０４の折り曲げ部の長さＷ２が長くなるので、ＴＣＰ１０４の全長が長くなってしまい、材料コストが上昇する。
【０００６】
本発明は上記の課題を解決するためになされたものであり、放熱特性に優れた小型軽量の画像表示装置を提供することを目的とする。
【課題を解決するための手段】
【０００７】
本発明に係る画像表示装置は、蛍光面を有する前面基板と、前記蛍光面に向けて電子を放出する電子放出素子およびその駆動回路を備え、前記前面基板に対向して設けられ、前記前面基板との間に真空外囲器を形成する背面基板と、前記背面基板を背面側から支持する矩形状のフレームと、前記背面基板およびフレームの周縁端面部を回り込むように設けられ、折り曲げた一方の端部が前記背面基板の前記電子放出素子の駆動回路に接続され、折り曲げた他方の端部がプリント配線板の回路に接続されたテープキャリアパッケージと、前記テープキャリアパッケージに搭載され、前記フレームの周縁端面部と熱交換可能に設けられたドライバＩＣと、を具備することを特徴とする。
【０００８】
本発明では、ドライバＩＣをテープキャリアパッケージによりフレームの周縁端面部に間接的に接触させているため、熱容量がはるかに大きいフレームによってドライバＩＣから効率的に熱を逃がすことができる。また、フレームの周縁端面部は、背面基板の側に折り曲げられているので、ドライバＩＣとフレームとの熱交換有効面積を増加させやすい構造とすることができる。また、ドライバＩＣを背面基板側の駆動回路に近接して配置するので、テープキャリアパッケージの全体の長さが短縮される。具体的には、テープキャリアパッケージの折り曲げ長さＷ１を従来の折り曲げ長さＷ２より短くでき、かつ、テープキャリアパッケージの上端から下端までの長さＬ１を従来の長さＬ２より短くできる（図１と図５参照）。
【発明の効果】
【０００９】
本発明によれば、ドライバＩＣをフレームの周縁端面部に対して熱交換可能に当接させているので、熱容量の大きいフレームによってドライバＩＣの放熱性が大幅に向上し、ドライバＩＣの過熱が抑えられ、駆動回路の動作が安定する。また、従来の放熱板を無くして、ドライバＩＣをフレームの周縁端面部に当接または近接させるので、テープキャリアパッケージの全長が短縮され、装置が小型で軽量になる。
【発明を実施するための最良の形態】
【００１０】
以下、本発明を実施するための最良の形態について添付の図面を参照して説明する。
【００１１】
画像表示装置は、図１に示すように、矩形状の背面基板１と前面基板２と側壁３を封着してなる真空外囲器４を本体とする例えば３６インチサイズのＦＥＤである。このＦＥＤ本体４は、これより一回り大きいサイズの矩形フレーム２０によって支持されている。矩形フレーム２０は、厚さ２ｍｍのアルミニウム板からなり、その主面が背面基板１の主面と背中合わせとなるようにボルトや接着剤で貼り合わされている。矩形フレーム２０の端部はＦＥＤ本体４の側へ折り曲げられ、折り曲げ端面部２０ａが形成されている。フレームの折り曲げ端面部２０ａの長さは数ミリメートルである。
【００１２】
背面基板１の電子放出素子８を駆動させる駆動回路は、ドライバＩＣ２６を搭載したＴＣＰ２４を介してＰＷＢ２２の回路に接続されている。ＴＣＰ２４は、図４に示すように背面基板１の短辺および長辺に沿って駆動回路の所定の分割領域に分かれて分担してそれぞれ接続されている。なお、ＰＷＢ２２は、背面基板１を直接支持するフレーム２０とは異なる他のフレーム（図示せず）に支持されている。
【００１３】
ＴＣＰ２４は、図１に示すように、両端部が折り曲げられ断面コ字状をなしており、一方の折り曲げ端部が背面基板側の駆動回路にハンダ付けされ、他方の折り曲げ端部がＰＷＢ２２側の回路にハンダ付けされている。ＴＣＰ２４のサイズはＦＥＤサイズに応じて適宜選択される。ＴＣＰ２４の折り曲げ端部から端部までの長さ、すなわちストレート部の長さＬ１は４０〜６０ｍｍ程度である。この長さＬ１は、図５に示した従来装置の長さＬ２（６０〜１２０ｍｍ）に比べて短くなっている。
【００１４】
また、ＴＣＰ２４の折り曲げ長さＷ１は２０〜３０ｍｍである。この長さＷ１は、図５に示した従来装置のＴＣＰ折り曲げ長さＷ２（４０〜６０ｍｍ）に比べて短くなっている。
【００１５】
次に、ＦＥＤ本体について図２と図３を参照して詳しく説明する。
【００１６】
ＦＥＤ本体４は、それぞれ矩形状のガラスからなる前面基板２と背面基板１を有し、両基板１，２は１〜２ｍｍの間隔をおいて対向配置されている。これら前面基板２と背面基板１は、矩形枠状の側壁３を介して周縁部同士が接合させ、内部が１０-4Ｐａ程度以下の高真空に維持された偏平な矩形状の真空外囲器４を構成している。
【００１７】
前面基板２の内面には蛍光面６が形成されている。この蛍光面６は赤（Ｒ）、緑（Ｇ）、青（Ｂ）の３色に発光する蛍光体層６ａとマトリックス状の遮光層２２ｂとで構成されている。蛍光面６上には、アノード電極として機能するとともに蛍光体層６ａの光を反射する光反射膜として機能するメタルバック層７が形成されている。表示動作時、メタルバック層７には図示しない回路により所定のアノード電圧が印加されるようになっている。
【００１８】
背面基板１の内面上には、蛍光体層７を励起するための電子ビームを放出する多数の電子放出素子８が設けられている。これらの電子放出素子８は、画素ごとに対応して複数列および複数行に配列されている。電子放出素子８マトリックス状に配設された図示しない配線により駆動されるようになっている。また、背面基板１と前面基板２との間には、これら基板１，２に作用する大気圧に耐えられるようにするために補強として、板状または柱状の多数のスペーサ１０が設けられている。
【００１９】
蛍光面６にはメタルバック層７を介してアノード電圧が印加され、電子放出素子８から放出された電子ビームはアノード電圧により加速されて蛍光面６に衝突する。これにより対応する蛍光体層６ａが発光し、画像が表示される。
【図面の簡単な説明】
【００２０】
【図１】本発明の画像表示装置の概要を示す図。
【図２】画像表示装置の概要を示す斜視図。
【図３】図２のＡ−Ａ線に沿って切断した断面図。
【図４】画像表示装置の概要を示す平面図。
【図５】従来の装置の概要を示す図。
【符号の説明】
【００２１】
１…背面基板、２…前面基板、３…側壁、４…真空外囲器（ＦＥＤ本体）、
６…蛍光面、６ａ…蛍光体層、７…メタルバック層、８…電子放出素子、
２０…フレーム（放熱板）、２０ａ…周縁端面部、
２２…ＰＷＢ（プリント配線板）、
２４…ＴＣＰ（テープキャリアパッケージ）、
２６…ドライバＩＣ、
１００…フレーム、１０２…ＰＷＢ、１０４…ＴＣＰ、１０８…放熱部材。
【図１】
2006093031.tif 000003
【図２】
2006093031.tif 000004
【図３】
2006093031.tif 000005
【図４】
2006093031.tif 000006
【図５】
2006093031.tif 000007